(57)【要約】【課題】  テレビ電話機能を備えた通信端末において、内蔵カメラのズーミング機能を生かして、入念に撮影条件や身だしなみを整えた上でテレビ電話を利用することができるようにする。【解決手段】  通信端末の制御部は、ＴＶ電話の着信を検出すると（ステップ“Ｓ１”の“ＴＶ電話着信”）、ディスプレイに着信を表示し（ステップ“Ｓ３”）、自画像表示、保留又は通話を選択できるようにする（ステップ“Ｓ４”）。「自画像」が選択されると、サブカメラ１７から入力された画像をディスプレイ５に表示して、ズーミング・明るさの調整を可能にする（ステップ“Ｓ５”）。その後、ＴＶ電話による通話を行う際に通話前に調整したズーミング・明るさのデータを読み出して設定することができる（ステップ“Ｓ１５”）。【選択図】  図９
2006319742.tif 000002
【特許請求の範囲】
【請求項１】
テレビ電話の送受信手段と、
ズーミングにより画像の倍率を変化させて撮影することができるカメラと、
前記カメラと同一の向きに取り付けられ、少なくとも文字及び画像を表示する表示手段と
、
前記カメラのズーミング操作及びテレビ電話の着信を受けて自画像確認の有無の選択操作
をすることができる操作手段と、
テレビ電話の着信を受けて前記操作手段により自画像確認有りの選択操作がされたとき、
前記カメラで撮影した画像を前記表示手段により表示して前記カメラのズーミング操作を
可能にした後に、前記カメラで撮影した画像を前記送受信手段により送信することができ
る制御手段とを
備えたことを特徴とする通信端末。
【請求項２】
テレビ電話の送受信手段と、
ズーミングにより画像の倍率を変化させて撮影することができるカメラと、
前記カメラと同一の向きに取り付けられ、少なくとも文字及び画像を表示する表示手段と
、
前記カメラのズーミング操作及びテレビ電話の発信操作をすることができる操作手段と、
テレビ電話の発信前の自画像確認の有無を設定することができ、かつ、自画像確認有りの
設定がされた状態において前記操作手段によりテレビ電話の発信操作がされたとき、前記
カメラで撮影した画像を前記表示手段により表示して前記カメラのズーミング操作を可能
にした後に、前記カメラで撮影した画像を前記送受信手段により送信することができる制
御手段とを
備えたことを特徴とする通信端末。
【請求項３】
前記カメラのズーミング設定値の記憶に用いられる記憶手段をさらに備え、前記制御手
段は前記カメラのズーミング操作を可能にした後のズーミング設定値を前記記憶手段に記
憶すると共に、前記記憶したズーミング設定値を前記記憶手段から読み出して前記カメラ
のズーミングを設定し撮影した画像を前記送受信手段により送信することができることを
特徴とする請求項１又は請求項２に記載の通信端末。
【発明の詳細な説明】
【技術分野】
【０００１】
本発明は通信端末に係り、特にＴＶ電話機能を備えた通信端末に関する。
【背景技術】
【０００２】
ＴＶ電話機能を備えた携帯電話機等の通信端末が、広く用いられるようになってきた。
従来の携帯電話機等を用いたＴＶ電話においては、着信があったときに相手方（発信元）
に対して送る画像を事前に確認することは一般に行われていない。このため、撮影条件（
被写体の位置や明るさ、画像の倍率等）を最適化したり、いわゆる身だしなみを整えたり
する準備を手順に従って進めることが難しいという問題があった。
【０００３】
これに対して、通信端末がＴＶ電話の着信又は発信操作を検出したとき、内蔵する自画
像折り返し回路を自動的に起動して、カメラで撮影した自画像を表示部の子画面に表示す
ることを可能にする技術が知られている（例えば、特許文献１又は特許文献２参照。）。
【特許文献１】特開平７−１１５６２８号公報（第２、３ページ、図１）
【特許文献２】特開平７−１１５６２９号公報（第２乃至４ページ、図１）
【発明の開示】
【発明が解決しようとする課題】
【０００４】
上述の特許文献１又は特許文献２に開示された従来の技術によれば、自画像を相手に送
信する前に表示部の子画面に表示して、身だしなみを整えるのに利用することが可能であ
る。しかしながら、近年の通信端末に備えるカメラのズーミング機能を生かして、送信す
べき画像の倍率を調整したり、拡大された画像により細部に注意して身だしなみを整えた
りすることはできないという問題があった。
【０００５】
本発明は上記問題を解決するためになされたもので、通信端末に備えるカメラのズーミ
ング機能を生かして入念に撮影条件や身だしなみを整えた上でＴＶ電話を利用することが
できる通信端末を提供することを目的とする。
【課題を解決するための手段】
【０００６】
上記目的を達成するために、本発明の通信端末は、ＴＶ電話の送受信手段と、ズーミン
グにより画像の倍率を変化させて撮影することができるカメラと、前記カメラと同一の向
きに取り付けられ、少なくとも文字及び画像を表示する表示手段と、前記カメラのズーミ
ング操作及びＴＶ電話の着信を受けて自画像確認の有無の選択操作をすることができる操
作手段と、ＴＶ電話の着信を受けて前記操作手段により自画像確認有りの選択操作がされ
たとき、前記カメラで撮影した画像を前記表示手段により表示して前記カメラのズーミン
グ操作を可能にした後に、前記カメラで撮影した画像を前記送受信手段により送信するこ
とができる制御手段とを備えたことを特徴とする。
【発明の効果】
【０００７】
本発明によれば、カメラのズーミング機能を生かして自画像を確認することにより、撮
影条件や身だしなみを入念に整えてＴＶ電話を利用することができる。
【発明を実施するための最良の形態】
【０００８】
以下、図面を参照して本発明の実施例を説明する。
【実施例１】
【０００９】
以下に、本発明を携帯電話機に適用した場合における一つの実施の形態を、図面を用い
て説明する。図１乃至図５は携帯電話機１の外観を示した図であり、また図６は携帯電話
機１のブロック図を示したものである。
【００１０】
まず、携帯電話機１の構造を図１乃至図５を用いて説明する。図１は、携帯電話機１を
約１８０度開いた時の外観図である。図１（Ａ）は正面から見た図、図１（Ｂ）は側面か
ら見た図である。
【００１１】
次に、図２は図１の状態から上筐体部２を携帯電話機１の開閉方向の軸Ａと垂直関係に
ある軸Ｂを中心に９０度回転した時の図である。図２（Ａ）は正面から見た図、図２（Ｂ
）は側面から見た図である。
【００１２】
次に、図３は図２の状態から上筐体部２を携帯電話機の開閉方向の軸Ａを中心に９０度
回転した時の図である。図３（Ａ）は正面から見た図、図３（Ｂ）は側面から見た図であ
る。
【００１３】
次に、図４は携帯電話機１を閉じた時の図である。図４（Ａ）は正面から見た図、図４
（Ｂ）は側面から見た図である。
【００１４】
次に、図５は図２の状態から上筐体部２を携帯電話機の開閉方向の軸Ｂを中心に９０度
回転（つまり図１の状態から上筐体部２を軸Ｂを中心に１８０度回転）し、更にそこから
軸Ａを中心に閉じた時の図である。図５（Ａ）は正面から見た図、図５（Ｂ）は側面から
見た図である。
【００１５】
携帯電話機１は上筐体部２と下筐体部４がヒンジ部３を介して接続されており、上筐体
部２にはＬＣＤなどのディスプレイ５、受信した音声を発声するレシーバ９、携帯電話機
１の状態を検知するための磁気センサ１１ａ、１１ｃ、メインカメラ１６、サブカメラ１
７及びＬＣＤなどのサブディスプレイ１５を有している。メインカメラ１６及びサブカメ
ラ１７は、ズーミングにより画像の倍率を変化させて撮影することができる。そして、デ
ィスプレイ５とサブカメラ１７とは上筐体部２の同一の面上に備えられている。したがっ
て、サブカメラ１７で撮影中の自画像をディスプレイ５上で視認することができる。また
、下筐体部４には、数字、文字、携帯電話機１の操作等を入力するためのキー６、更には
携帯電話機１の操作を行うサイドキー７、集音するためのマイク（送話口）８、及び携帯
電話機１の状態を検知するための磁気センサ１１ｂ、１１ｄを有している。
【００１６】
図６は、携帯電話機１の構成を簡潔に示したブロック図である。携帯電話機１の内部に
は、携帯電話機１全体の制御を行う制御部３３と、メインカメラ１６を制御するメインカ
メラ制御部３９と、サブカメラ１を制御するサブカメラ制御部３２と、ＲＯＭ又はＮＡＮ
Ｄメモリなどで構成されるメモリ３４と、一時的に記憶する揮発性のＲＡＭ３７と、ディ
スプレイ５及びサブディスプレイ１３を表示制御する表示制御部３５と、キー６及びサイ
ドキー７の押下を認識する操作部３６と、アンテナ３０を用いて無線通信制御を行う送受
信部３１とを備えており、制御部３３によって全体が制御されている。
【００１７】
メモリ３４は、制御部３３が実行するプログラム、各種の情報データなどが保存されて
おり、例えば着信があった際に予め設定した相手先からの着信を拒否するか否かを設定す
る着信拒否設定記憶部３４ａ、身嗜みを整えるために着信・発信の際にカメラを起動した
際の表示のズームレベル、明るさレベルを記憶するズーミング・明るさ情報記憶部３４ｂ
、氏名・電話番号等が記憶され、それに対応付けられて着信拒否情報・相手方の画像など
が記憶される電話帳記憶部３４ｃ、発信の際に、サブカメラ１７を起動させるか否かを設
定する自画像確認要否記憶部３４ｄを有する。また、操作部３６における操作によりＴＶ
電話の発信操作がされたときの、自画像確認の要否に関する設定を記憶することができる
。
【００１８】
表示制御部３５は、ディスプレイ５及びサブディスプレイ１３を表示制御するものであ
り、制御部３３から出力命令される表示データを表示制御する。
【００１９】
通信部３１は、制御部３３によって命令された情報を、無線通信によって送信したり、
メールサーバより無線通信によって送られた情報を受信したりする機能を有する。また、
電話機能による通話の際およびＴＶ電話の発着信についても、周知のとおり通信部３１を
通じて通話が行われる。
【００２０】
メインカメラ制御部３９及びサブカメラ制御部３２は、それぞれ個別的に制御部３３の
命令によって起動され、カメラから入力された画像は、表示制御部３５を通じてディスプ
レイ５などに表示される。
【００２１】
操作部３６は、キー６及びサイドキー７の押下を認識するものであって、数字キーや文
字キー、メール編集の決定・中止などのファンクションキーを含む複数のキーの押下をそ
れぞれ認識することができ、利用者が入力操作したキー６の入力に応じて、キーを識別す
る識別信号を制御部３３へ通知し、制御部３３がその動作を開始する。
【００２２】
図７は、本発明のディスプレイ５の表示例、およびキー６の配置の一例を示した図であ
り、図７（Ａ）はディスプレイ５の表示例、図７（Ｂ）はキー６の配置の一例である。図
７（Ａ）に示されるように、携帯電話機１のディスプレイ５には、一番上の行（以下上ピ
クト行とする）には、現在のアンテナ３０の感度のレベルを示したアンテナピクト５１と
、携帯電話機１の現在の電池残量を示した電池ピクト５２と、現在の時刻を表示する時刻
表示５３とが表示されている。さらに、携帯電話機１のディスプレイ５の一番下の行（以
下下ピクト行とする）には、現在表示されている機能において、ソフトキー左６４・ソフ
トキー中６５（又は十字キーの中心部の押下（以下確定キーと記す））・ソフトキー右６
６を押下すると実行される機能の簡単な説明がなされており、それぞれソフトキー左６４
については左下ピクト５４、ソフトキー中６５又は確定キーについては中下ピクト５５、
ソフトキー右６６については右下ピクト５６に説明が表示されている。たとえば、図７（
Ａ）のような表示がなされている場合、ソフトキー左６４を押下すると、「戻る」という
機能が実行され、ソフトキー中６５又は確定キーを押下すると、図示していないが、現在
フォーカスが当たっている機能を選択することができる。また、ソフトキー右６６を押下
すると、「サブメニュー」が表示される。
【００２３】
図７（Ｂ）に示されるように、下筐体４には、キー６として、数字キー６１、「＊」キ
ー６２、「＃」キー６３、ソフトキー左６４、ソフトキー中６５、ソフトキー右６６、十
字キー６７、ＴＶ電話キー６８、アプリキー６９、通話キー７０、電源キー７１、及びク
リアキー７２を有する。数字キー６１は、数字のほかに、かな文字、記号文字、アルファ
ベット等が割り当てられており、例えば、「１」のキーには、数字「１」、「あ」「い」
「う」「え」「お」のかな文字、及び「．」「＠」の記号が割り当てられており、「２」
のキーには、数字「２」、「か」「き」「く」「け」「こ」のかな文字、及び「Ａ」「Ｂ
」「Ｃ」「ａ」「ｂ」「ｃ」などのアルファベットが割り当てられている。また、「＊」
キー６２には、「＊」が割り当てられており、更に文字入力状態において記号一覧、絵文
字一覧を呼び出すことができる。また、「＃」キー６３には、「＃」が割り当てられてお
り、更に文字入力状態において、数字キー６１による文字入力のトグルを逆にすることが
できる。
【００２４】
十字キー６７は、上キー・下キー・左キー・右キー及び確定キーを有し、当てられたカ
ーソルを上下左右方向に移動することができることに加え、確定キーを押下すると、さま
ざまな機能を確定することができる。また、ＴＶ電話キー６８は電話帳記憶部３４ｃに記
憶された相手先を呼び出して、相手先の電話番号にフォーカスがあたっているときにＴＶ
電話キー６８を押下することによって、ＴＶ電話発信をすることが出来る機能を有し、更
には待受状態においてＴＶ電話の設定画面を呼び出すことができる。また、アプリキー６
９は、ゲームなどのアプリケーションを起動させることができる。
【００２５】
通話キー７０は、主に電話を受ける際や、通常の発信をする際に用いるためのキーであ
り、電源キー７１は、主に電源のＯＮ・ＯＦＦ、終話の際、及び機能、編集を終了する際
に用いる。更に、クリアキー７２は、主に機能・編集をクリアする際、及び文字入力の際
に文字を消去する際に用いる。また、クリアキー７２は待ち受け画面において押下すると
、メモ帳を呼び出すことができる。
【００２６】
また、前述のとおり、上筐体部２及び下筐体部４には、上筐体部２、下筐体部４の状態
を検出するためのセンサ１１ａ〜１１ｄが設けられている。これらのセンサ１１ａ〜１１
ｄは例えば磁気センサにより構成され、センサ同士が一定の距離内で接近した状態で検出
信号を出力する。上記各センサ１１ａ〜１１ｄのうち、センサ１１ａと１１ｂとの対は、
上筐体部２及び下筐体部４が重なり合っているか否かを検出する。つまり図８の表に示さ
れるように、先に述べた「クローズ状態」又は「ターンオーバ状態」になっているか、或
いは「オープン状態」になっているかを判定するために使用される。また、センサ１１ｃ
と１１ｄとの対は、「クローズ状態」であるか或いは「ターンオーバ状態」であるかを判
定するために使用される。
【００２７】
次に、本発明の実施例１における携帯電話機１の操作及び動作のフローについて、図９
及び図１０を参照して説明する。図９及び図１０は、携帯電話機１がＴＶ電話によって着
信を受けた際のフローチャートである。送受信部３１がアンテナ３０を経て着信信号を認
識すると（“ＳＴＡＲＴ”）と、ＴＶ電話の着信か音声着信かを判断する（ステップ“Ｓ
１”）。そして、音声着信であると判断されると（ステップ“Ｓ１”の“音声着信”）、
周知である通常の音声着信を行う（ステップ“Ｓ１−２”）。
【００２８】
ＴＶ電話の着信があったと判断されると（ステップ“Ｓ１”の“ＴＶ電話”）、メモリ
３４の内部に設定されている着信拒否設定記憶部３４ａに記憶されている拒否設定がＯＮ
に設定されているかを判断する（ステップ“Ｓ２”）。そして、着信拒否設定がＯＮに設
定されていた場合は、受信した相手方の情報が拒否設定されているか否かを判断し（ステ
ップ“Ｓ２−２”）、ＴＶ電話着信の拒否を行う（ステップ“Ｓ２−３”）。
【００２９】
一方受信した相手方の情報が拒否設定されていなかった場合は（ステップ“Ｓ２”の「
Ｎｏ」）、通常通りのＴＶ電話着信を行うため、ステップ“Ｓ３”に進む。
【００３０】
次に、制御部３３は、着信画面（例えば図１１記載の画面、図１１が表示されている状
態の詳細説明は後述する）をディスプレイ５に表示させるよう表示制御部３５に命令し、
さらに音声鳴動部３８に対して着信音の鳴動を行うよう命令する（ステップ“Ｓ３”）。
ここで、ＴＶ電話キー６８が押下された旨の信号を制御部３３が受けると、サブカメラ１
７を起動させ、サブカメラ１７から入力される画像を送信し、かつハンズフリー通話を行
う「ＴＶ電話の通話」に移行するため、図１０のステップ“Ｓ１２”に進む（ステップ“
Ｓ４”「通話」）。また、通話キー７０が押下された旨の信号を制御部３３が受けると、
「送信画像を送らず、かつハンズフリー通話を行わないＴＶ電話の通話」へ移行するため
ステップ“Ｓ１２”に進む（ステップ“Ｓ４”「通話」）。また、確定キーが押下された
旨の信号を制御部３３が受けると、応答保留へ移行するため、ステップ“Ｓ１０”へ進む
。
【００３１】
また、ソフトキー左６４が押下された旨の信号を制御部３３が受けると、例えば図１２
のようにサブメニューを表示させることができ、ユーザは「自画像」、「保留」のいずれ
かを選択することができる。そして、サブメニューが表示されている時に「自画像」が選
択されると（ステップ“Ｓ４”の「自画像」）、制御部３３は音声鳴動部３８に対して鳴
動させていた着信音を止めるよう命令する（ステップ“Ｓ４−２”）。制御部３３はサブ
カメラ１７を起動させ、サブカメラ１７から入力される画像をディスプレイ５に表示させ
るように表示制御部３５に命令する。その際のディスプレイの表示の例を図１３及び図１
４に示す（図１３・図１４の詳細説明は後述する）。
【００３２】
そして、十字キー６７の上キー又は下キーの操作により、サブカメラ１７のズーミング
調整をすることができ、十字キー６７の左キー又は右キーの操作により、サブカメラ１７
から入力された画像を表示する際の明るさを調整することができる（ステップ“Ｓ５”）
。なお、サブカメラ１７起動直後のズーミングのレベル及び明るさのレベルはメモリ３４
のズーミング・明るさ情報記憶部３４ｂに記憶されている固定値（例えば５段階調整可能
である場合は中間値の３レベルとする）でもよいし、前回のズーミングレベルをズーミン
グ・明るさ情報記憶部３４ｂに記憶しておき、その値を読み出して初期値としても良い。
【００３３】
次に、制御部３３は通信開始操作（例えばＴＶ電話キー６８の押下）がされたか否かを
判断する（ステップ“Ｓ６”）。そして、通信開始操作がされたと判断された場合、制御
部３３はサブカメラ１７を終了させる。なお、ステップ“Ｓ４−２”に代えて、この時点
で音声鳴動部３８に対して鳴動させていた着信音を止めるよう命令するものとしてもよい
。そして、ステップ“Ｓ５”において調整されたズーミングのレベルの情報と、明るさの
レベルの情報をＲＡＭ３７に保持する（ステップ“Ｓ６−３”）。また、ＴＶ電話キー６
８が押下されていないと判断された場合はステップ“Ｓ７”に進む。
【００３４】
次に、制御部３３はソフトキー左６４が押下されたか否かを判断する（ステップ“Ｓ７
”）。ここでソフトキー左６４が押下されていないと判断された場合は再度ステップ“Ｓ
６”を繰り返す（ステップ“Ｓ７”の「Ｎｏ」）。また、ソフトキー左６４が押下された
と判断された場合、制御部３３はサブカメラ１７を終了させる。なお、ステップ“Ｓ４−
２”に代えて、この時点で音声鳴動部３８に対して鳴動させていた着信音を止めるよう命
令するものとしてもよい。そしてステップ“Ｓ５”において調整されたズーミングのレベ
ルの情報と、明るさのレベルの情報をＲＡＭ３７に保持する（ステップ“Ｓ９”）。その
後、ＴＶ電話の通話（応答保留状態）に移行するため、送受信部３１及びアンテナ３０を
介して相手方との回線接続を行う。また、応答保留状態であるため、送受話音声パスをミ
ュートし、応答保留である旨のガイダンスデータ（静止画と音声の双方）をメモリ３４か
ら読み出して（図示していない。）送信する（ステップ“Ｓ１０”）。なお、応答保留状
態では、制御部３３はディスプレイ５に保留中であることを示す画像を表示するよう表示
制御部３５に命令する（例えば図１８参照。）。
【００３５】
ここで、制御部３３は、ソフトキー左６４、確定キー又はＴＶ電話キー６８が押下され
た否かを判断し（ステップ“Ｓ１１”）、ソフトキー左６４、確定キー又はＴＶ電話キー
６８が押下されたと判断された場合はＴＶ電話の通話へ移行するため、図１０のステップ
“Ｓ１２”に進む（ステップ“Ｓ１１”の“ＹＥＳ”）。これらのキーが押下されたと判
断されていない場合は（ステップ“Ｓ１１”の“ＮＯ”）、制御部３３は応答保留の状態
を継続する。
【００３６】
ステップ“Ｓ４”、“Ｓ６−３”又は“Ｓ１１”において「ＴＶ電話の通話」へ移行す
ると判断されたとき、制御部３３は、送受信部３１及びアンテナ３０を介して相手方との
回線接続を行い、接続されたか否かを判断する（ステップ“Ｓ１２”）。このとき接続さ
れていないと判断された場合（ステップ“Ｓ１２”「Ｎｏ」）、接続開始からの所定時間
を過ぎたか否かを判断し（ステップ“Ｓ１２−２”）、所定時間を過ぎていない場合は再
度ステップ“Ｓ１２”に戻り、回線接続されたかを判断する（ステップ“Ｓ１２−２”の
「Ｎｏ」）。また、所定時間を過ぎたと判断された場合は、回線接続動作を中止し、接続
不可である旨をディスプレイ５に表示させ、その後待受画面に戻る（ステップ“Ｓ１２−
３”）。なお、このときにＲＡＭ３７に記憶されていたズーミングのレベルの情報と明る
さのレベルの情報をメモリ３４に保存するようにしても良いし、消去しても良い。
【００３７】
一方、ステップ“Ｓ１２”において、相手方との回線接続が完了した場合、制御部３３
はＲＡＭ３７上にズーミングのレベルの情報と明るさのレベルの情報が記録されているか
を判断する（ステップ“Ｓ１３”）。そこで、ズーミングのレベルの情報と明るさのレベ
ルの情報がＲＡＭ３７上に記憶されていた場合は、その値を読み出す（ステップ“Ｓ１４
”）。その後、制御部３３は、サブカメラ１７を起動させ、読み出したズーミングのレベ
ルの情報と明るさのレベルの情報や、その他の設定情報に基づいて、ＴＶ電話の通話を行
う（ステップ“Ｓ１５”）。また、ＲＡＭ３７上にズーミングのレベルの情報と明るさの
レベルの情報が記録されていない場合は、メモリ３４のズーミング・明るさ情報記憶部３
４ｂに記憶されているズーミングのレベルの情報と明るさのレベルの情報の初期値情報を
読み出して（ステップ“Ｓ１３−２”）、サブカメラ１７を起動させ、読み出したズーミ
ングのレベルの情報と明るさのレベルの情報や、その他の設定情報に基づいて、ＴＶ電話
の通話を行う（ステップ“Ｓ１５”）。なお、メモリ３４に設定されているズーミングの
レベルの情報と明るさのレベルの情報を読み出す際は、初期値に限定されず、前回起動時
のズーミングのレベルの情報と明るさのレベルの情報とをメモリ３４に記憶しておいたも
のを読み出してもよい。
【００３８】
次に図１１乃至図１４の説明を行う。図１１乃至図１４は図９及び図１０のフローチャ
ートの一部の場面におけるディスプレイ５の表示の一例を示したものである。
【００３９】
まず、図１１は、テレビ電話の着信があったとき（図９のフローチャートのステップ“
Ｓ３”）にディスプレイ５に表示される画面の一例である。
【００４０】
図１１に表示された画面の最上部には、前述のとおりピクト行の表示がされている。そ
のすぐ下には、「ＴＶ電話」という現在の用途の表示がされている。その下には、メモリ
３４に登録された電話帳記憶部３４ｃから検索された相手方の氏名が表示され、さらに着
信と共に検出された発信元の電話番号が表示されている。
【００４１】
左下ピクト５４の欄には「オプション」表示（オプション機能が呼び出される旨の表示
）がなされ、中下ピクト５５には「◎」表示（確定キー押下可能である旨の表示）がなさ
れている。前述のとおり、ソフトキー左６４を押下すると、この「オプション」機能が実
行される旨を案内しており、ソフトキー左６４が押下されると図１２のようにサブメニュ
ーが表示される。また、「オプション」表示及び確定キー押下可能である旨の表示が表示
されている行のすぐ上には、その時点までに発生し操作若しくは処理の対称となっている
イベント等を表す内容が表示される。図１１の場合には、「着信」というイベントが表示
されている。画面の中央付近には、電話帳記憶部３４ｃに記憶された発信元の電話番号・
氏名と対応付けられて記憶されたイメージデータが表示されている。
【００４２】
図１１に示した表示がディスプレイ５に表示されているときに、ソフトキー左６４が押
下されると、前述のとおり制御部３３は、サブメニューを図１１に示した表示に重ねてデ
ィスプレイ５に表示する。
【００４３】
次に、図１２は、サブメニューが重ねて表示された際の一例を表す図である。図９のフ
ローチャートではステップ“Ｓ４”の場合の表示の例である。この場合は、例えば番号「
１」を付して表された「保留」と、番号「２」を付して表された「自画像」がサブメニュ
ーとして表示される。図１２の左下ピクト５４には「選択」表示が、右下ピクト５６には
「戻る」表示がなされる。また、中下ピクト５５には「◎」に上下の「▲」「▼」マーク
が付され、確定キー、十字キー６７の上キー及び下キーが操作可能である旨が案内されて
いる。
【００４４】
図１２に示した画面が表示されているときに、十字キー６７の下キー又は上キーが押下
されると、「保留」又は「自画像」にあてられたフォーカスを移動させることができる。
また、図１２においては、「自画像」が選択され反転表示されている。この状態でソフト
キー左６４又は確定キーが押下されると、「自画像」が選択され、サブカメラ１７が起動
し、ステップ“Ｓ５”に移行する。なお、数字キー６１に含まれ数字“２”に割り当てら
れた文字キーが押下された場合にも、「自画像」が選択される。
【００４５】
次に図１３及び図１４は、ディスプレイ５における自画像の表示の一例を表す図である
。図９のフローチャートのステップ“Ｓ５”に相当する。図１３に表示される内容のうち
、図１２に表示されるのと同じものについては説明を省略する。十字キー６７の上キーを
押下すると、カメラから入力された画像を拡大することができ、逆に十字キー６７の下キ
ーを押下すると、広角表示することができる。また、十字キー６７の右キーを押下すると
、カメラから入力された画像を明るく表示することが出来、十字キー６７の左キーを押下
すると、カメラから入力された画像を逆に暗く表示することが出来る。画面の最下段の中
央に「◎」に「▼」を添えた表示がなされると、十字キー６７の下キーが操作可能であり
、自画像を広角に表示できることを表している。なお、ズーム表示と広角表示のいずれも
が可能な場合には、「◎」に「▲」及び「▼」を添えて表示される。
【００４６】
また、カメラから入力された画像が現在どのズームの段階で表示されているか、どの段
階の明るさで表示されているかの案内を表示している。例えば、「Ｗ」方向に矢印があれ
ば現在どれくらい広角に表示されているかが示され、「Ｔ」方向に矢印があれば現在どれ
くらいズームに表示されているかがわかる。また、「＋２」方向に矢印があれば現在どれ
くらい明るく表示されているかが示されており、「−２」方向に矢印があれば現在どれく
らい暗く表示されているかが示されている。なお、送信すべき自画像の倍率を手動で倍率
を選択するようにしてもよい。
【００４７】
（通話開始後の表示）
次に通話開始後の動作及びディスプレイ５の表示について説明する。制御部３３はその
後、発信元との間でテレビ電話の送受信を開始したあと、ディスプレイ５に受信した相手
方の画像と、自画像の双方を表示させる。図１５は、通話開始後のディスプレイ５におけ
る表示の一例を示す図である。
【００４８】
図１５に示された表示の親画面には受信画像が、子画面には送信画像がそれぞれ表示さ
れる。子画面の上部には、通話時間が時分秒の単位で表示される。中下ピクト５５には、
「▲」と「▼」が共に表示され、通話音量調整が可能であることを表している。右下ピク
ト５６には、ハンズフリー機能の切り換え操作を可能にする「ＨＦ」の案内が表示される
。
【００４９】
また、ソフトキー左６４を押下されると、サブメニューが重ねて表示され（例えば保留
、ミュート、カメラ切り替え、ズームの変更、その他）、使用者に選ばせるようにするこ
とができる。また、サブメニューよりカメラ切り替えを選択することによりメインカメラ
１６を起動して、メインカメラ１６により撮影する画像を送信するようにすることができ
る。このとき制御部３３は、サブカメラ１７を一旦動作を停止させる。そして、サブメニ
ューから「ズームの変更」を選択すると、十字キー６７又はサイドキー７によってズーム
の変更を行うことが出来る。このとき、ズーム変更後はＲＡＭ３７に記憶されているズー
ミングのレベルの情報と明るさのレベルの情報を随時更新するようにする。なお、次回起
動時のズーミングレベル・明るさのレベルの設定を決めるために、終話の際にＲＡＭ３７
に記憶されているズーミングのレベルの情報と明るさのレベルの情報をメモリ３４のズー
ミング・明るさ情報記憶部３４ｂに記憶するようにしてもよい。
【００５０】
図１６は、メインカメラ１６により撮影する画像を送信すると共に子画面に表示する一
例を表す図である。子画面には、使用者の自画像ではなく、例えば上筐体部２の背面に取
り付けられたメインカメラ１６により撮影された画像が表示されている。
【００５１】
図１７は、ＴＶ電話着信中に通話キー７０を押下することにより、送信画像を送信せず
、ハンズフリーを行わないでＴＶ電話通話を行う際の表示例である。図９のフローチャー
トではステップ“Ｓ４”において、「通話」方向に移行した後のディスプレイ５の表示の
例である。図１３又は図１４に示す自画像がディスプレイ５に表示されているときに、通
話キー７０を押下することにより、制御部３３はサブカメラ１７の動作を停止して、送受
信部３１及びアンテナ３０を介して発信元との間で画像の受信に必要となる接続を行う。
制御部３３はその後、発信元との間でＴＶ電話の送受信を開始し、発信元から送信される
画像を受信して親画面としてディスプレイ５に表示する。この場合には、カメラから入力
された画像を送信せず、子画面に画像送信なしをあらわす表示をディスプレイ５に行う。
【００５２】
図１８は、ＴＶ電話の着信に対する応答を保留したときにディスプレイ５の一例を表す
図である。図１２に示した画面がディスプレイ５に表示されているときに、十字キー６７
の下キー又は上キーを押下することにより、「保留」又は「自画像」のうち「保留」を選
択して、「選択」ボタンに対応するソフトキー左６４又は確定キーを押下すると、「保留
」が選択される。数字キー６１の数字“１”のキーが押下された場合にも、「保留」が選
択される。その結果、ＴＶ電話の着信に対する応答を保留することができる。また、図１
３又は図１４に示す自画像がディスプレイ５に表示されているときに、確定キーを押下す
ることにより、ＴＶ電話の着信に対する応答を保留することができる。なお、保留中の表
示には、保留中である旨を表す表示が中央付近に表示されている。また、左下ピクト５４
には、ソフトキー左６４の押下によって保留が「解除」出来る旨の案内が表示される。
【００５３】
以上のように、本発明の実施例１によれば、ＴＶ電話の着信があったときに、カメラの
ズーミング機能を生かして入念に撮影条件や身だしなみの確認をした上で自画像の送信を
始めることができる。
【実施例２】
【００５４】
以下、図１９乃至図２４を参照して、本発明の実施例２を説明する。実施例２に係る通
信端末は、実施例１に係る携帯電話機１と同じものとし、図１乃至図７も必要に応じて参
照する。実施例２においては、キー６においてＴＶ電話の発信操作がされてからの携帯電
話機１の操作及び動作の一例について説明する。
【００５５】
まず、ＴＶ電話発信時の動作フローについて、図１９及び図２０を参照して説明する。
図１９及び図２０は、当該フローを表すフローチャートである。キー６によりＴＶ電話の
発信操作がなされると処理が開始される（“ＳＴＡＲＴ”）。なおＴＶ電話の発信操作と
は、通話の相手方の電話番号を入力する（又は電話帳記憶部３４ｃに記憶された電話帳を
呼び出して相手方の電話番号を検索して選択する）と共に、ＴＶ電話キー６８が押下され
る、又は電話帳表示状態でサブメニューを開き、「ＴＶ電話発信」を選択する操作を意味
する。
【００５６】
次に、制御部３３は、現在の通信エリアがＴＶ電話をサポートしているエリアであるか
、又はＴＶ電話をサポートしていないエリアであるか否かを判断する（ステップ“Ｓ２１
”）。そして、ＴＶ電話をサポートしていないエリアである場合は、ＴＶ電話接続できな
い旨の表示を行う（ステップ“Ｓ２１”の「サポート外」、ステップ“Ｓ２８−２”）。
【００５７】
一方、ＴＶ電話をサポートしているエリアであると判断された場合は（ステップ“Ｓ２
１”の「サポート内」）、制御部３３はメモリ３４内に記憶されている自画像確認の要否
に関する設定が記憶されている自画像確認要否記憶部３４ｄを参照する（ステップ“Ｓ２
２”）。
【００５８】
そして、自画像確認要否記憶部３４ｄに記憶されている自画像確認が必要という設定が
されていると制御部３３が判断した場合（ステップ“Ｓ２２”の「ＹＥＳ」）、制御部３
３は、サブカメラ１７を起動し、サブカメラ１７から入力される画像をディスプレイ５に
表示するよう、表示制御部３５に命令する。そして、十字キー６７の上キー又は下キーの
操作により、サブカメラ１７のズーミング調整をすることができ、十字キー６７の左キー
又は右キーの操作により、サブカメラ１７から入力された画像を表示する際の明るさを調
整することができる（例えば図２１及び図２２参照。）（ステップ“Ｓ２３”）。なお、
サブカメラ１７起動直後のズーミングのレベル及び明るさのレベルはメモリ３４内のズー
ミング・明るさ情報記憶部３４ｂに記憶されている固定値（例えば５段階調整可能である
場合は中間値の３レベルとする）でもよいし、前回のズーミングレベルをメモリ３４内の
ズーミング・明るさ情報記憶部３４ｂに記憶しておき、その値を読み出して初期値として
も良い。
【００５９】
ここで、例えばソフトキー左６４若しくは確定キーを押下することによる（案内がそれ
ぞれ表示されている）「戻る」操作がなされたか否かを判断する（ステップ“Ｓ２４”）
。そして、「戻る」操作がなされた場合（ステップ“Ｓ２４” の「Ｙｅｓ」）、ＴＶ電
話の発信動作に移行する。その際には、現在のズーミングレベル及び明るさのレベルの情
報をＲＡＭ３７に一時記憶する（ステップ“Ｓ２５”）。なお、例えばソフトキー右６６
を押下することによりＴＶ電話の発信を中止することも出来る。
【００６０】
一方、ステップ“Ｓ２２”において、自画像確認要否記憶部３４ｄに記憶されている自
画像確認が不要という設定がされている又は、自画像確認に関する設定がなされていない
と制御部３３が判断した場合（ステップ“Ｓ２２”の「Ｎｏ」）、自画像を確認すること
なく、ＴＶ電話の発信動作に移行し、ステップ“Ｓ２６”に進む。
【００６１】
次に、ＴＶ電話の発信動作に移行した場合、送受信部３１及びアンテナ３０を介して通
信網に対してＴＶ電話発信を行い、ディスプレイ５に対して例えば図２３に示したように
発信画面を表示する（ステップ“Ｓ２６”）。そして、相手方と接続中に特定失敗要因が
発生したか否かを判断する（ステップ“Ｓ２７”）。なお、特定失敗要因とは相手方が通
話中である旨の信号を受信した場合、相手方からのレスポンス応答がない旨の信号を受信
した場合、着信拒否をされた旨の信号を受信した場合など音声のみの通話にすぐ切替えて
も通信が出来ない要因での失敗要因を指す。
【００６２】
そして、特定失敗要因が発生したと判断された場合（ステップ“Ｓ２７”の「Ｙｅｓ」
）、制御部３３は、現在通話が出来ない旨をディスプレイ５に表示し（ステップ“Ｓ２７
−２”）、終話キー７１及びクリアキー７２の押下によって、待受け画面に戻る（ステッ
プ“Ｓ２７−３”）。なお、終話キー７１及びクリアキー７２の押下によらずとも、一定
時間経つと待受け画面に戻るよう設定しても良い。また、それぞれの通話できなかった要
因を表示してもよい。
【００６３】
また、ステップ“Ｓ２７”において、特定失敗要因が発生しなかったと判断された場合
（ステップ“Ｓ２７”の「Ｎｏ」）、特定失敗要因以外の通信失敗が発生したか否かを判
断する（ステップ“Ｓ２８”）。そして、特定失敗以外の通信失敗が発生したと判断され
た場合、（ステップ“Ｓ２８”の「Ｙｅｓ」）例えば図２４に示されるように、音声通話
に移行するか否かの案内を表示し（ステップ“Ｓ２８−２”）、左ソフトキー６４、発信
キー７０又は確定キーが押下されると同じ相手方に音声発信によって通話を行い（ステッ
プ“Ｓ２８−３”）、右ソフトキー６６、終話キー７１が押下されると待ち受け画面に戻
るように制御部３３によって制御が行われる（ステップ“Ｓ２８−４”）。
【００６４】
一方、特定失敗要因以外の通信失敗が発生しなかったと判断された場合（ステップ“Ｓ
２８の「Ｎｏ」）、通信が成功した旨の信号を受信したか否かを判断する（ステップ”Ｓ
２９“）。そして、通信が成功した旨の信号を受信していない場合は再度ステップ”Ｓ２
７“に戻り失敗要因の発声の有無を判断する（ステップ”Ｓ２９“の「Ｎｏ」）。また、
通信が成功した旨の信号を受信すると、レシーバ９より呼び出し中の音を発生させるよう
に音声鳴動部３８に命令する（ステップ”Ｓ３０“）。
【００６５】
次に、相手方が応答した旨の信号を受信したか否かを判断し（ステップ“Ｓ３１”）、
通信網から相手方が応答した旨の信号を受信した場合は、制御部３３は、音声鳴動部３８
に対してレシーバより発生させている呼び出し中の音を停止させる（ステップ“Ｓ３２”
）。
【００６６】
次に、制御部３３はＲＡＭ３７にズーミングのレベルの情報と明るさのレベルの情報が
記録されているかを判断する（ステップ“Ｓ３３”）。そこで、ズーミングのレベルの情
報と明るさのレベルの情報がＲＡＭ３７に記憶されていた場合は、その値を読み出す（ス
テップ“Ｓ３４”）。その後、サブカメラ１７を起動させ、読み出したズーミングのレベ
ルの情報と明るさのレベルの情報や、その他の設定情報に基づいて、ＴＶ電話の通話を行
う（ステップ“Ｓ３５”）。また、ＲＡＭ３７にズーミングのレベルの情報と明るさのレ
ベルの情報が記録されていない場合は、メモリ３４のズーミング・明るさ情報記憶部３４
ｂに設定されているズーミングのレベルの情報と明るさのレベルの情報の初期値情報を読
み出して（ステップ“Ｓ３３−２”）、サブカメラ１７を起動させ、読み出したズーミン
グのレベルの情報と明るさのレベルの情報や、その他の設定情報に基づいて、ＴＶ電話の
通話を行う（ステップ“Ｓ３５”）。なお、ズーミング・明るさ情報記憶部３４ｂに記憶
されているズーミングのレベルの情報と明るさのレベルの情報を読み出す際は、初期値に
限定されず、前回起動時のズーミングのレベルの情報と明るさのレベルの情報とをズーミ
ング・明るさ情報記憶部３４ｂに記憶しておいたものを読み出してもよい。
【００６７】
次に図２１乃至図２４の説明を行う。図２１乃至図２４は図１９及び図２０のフローチ
ャートの一部の場面におけるディスプレイ５に表示される一例を示したものである。
【００６８】
図２１は、ユーザによってＴＶ電話の発信操作が行われ、かつ自画像確認が必要である
設定がなされていた場合に表示される画面の一例である。左下ピクト５４には自画像確認
を終了し通話に移行する際に押下する旨を案内する「ＯＫ」表示、右下ピクト５６にはＴ
Ｖ電話をやめる際に押下する旨を案内する「中止」表示がなされている。中下ピクト５５
に表示される、「◎」に「▲」を添えた表示の説明は、図１２等と同じである。
【００６９】
図２２は、拡大された自画像の表示の一例を示す図である。図２１に示されるように、
自画像がディスプレイ５に表示されているときに、十字キー６７の上キーを押下すること
により、サブカメラ１７により撮影された画像の表示を拡大することができる。
【００７０】
図２３は、図１９のフローチャートにおけるステップ“Ｓ２６”及びステップ“Ｓ２８
−２”の際に表示されるディスプレイ５の画面の例である。ステップ“Ｓ２６”において
、ＴＶ電話発信のための接続を開始すると、図２３に示されるように発信画面を表示する
。その際、発信先の相手方の氏名、相手方の電話番号、動作の内容が表示される。また、
ＴＶ電話発信のための接続開始後、特定要因以外の接続失敗の旨の信号を受信すると、図
２４に示されるように、ＴＶ電話として接続失敗した旨と、音声通話として再接続するか
否かの案内を表示する。その際、左下ピクト５４には、ソフトキー左６４を押下すると音
声通話として接続する「Ｙｅｓ」の案内が、また、右下ピクト５６には、ソフトキー右６
６を押下すると音声通話をせず終了する「Ｎｏ」の案内がそれぞれ表示される。
【００７１】
本発明の実施例２によれば、テレビ電話の発信操作がされたときに、カメラのズーミン
グ機能を生かして入念に撮影条件や身だしなみの確認をした上で相手方に対する発信を始
めることができる。
【００７２】
なお、本発明の実施例１又は実施例２に係る通信端末１は、折りたたみ型携帯電話機で
あるとしたが、これに限るものではない。また、メインカメラ１６を備えないものであっ
てもよい。また、キー６を構成するキーの名称、配列等は、多様な変形が可能である。デ
ィスプレイ５の表示例はそれぞれの場合における一例を表すものであって、多様な変形が
可能である。
【図面の簡単な説明】
【００７３】
【図１】携帯電話機１を１８０度開いたときの構造を示した図。
【図２】携帯電話機１の上筐体部２を９０度回転したときの構造を示した図。
【図３】携帯電話機１の上筐体部２を図２の状態より更に９０度回転したときの構造を示した図。
【図４】携帯電話機１を閉じたときの構造を示した図。
【図５】携帯電話機１を図３の状態より閉じたときの構造を示した図。
【図６】携帯電話機１の構成を簡潔に示したブロック図。
【図７】携帯電話機１のディスプレイ５及び下筐体部４のキー６の配置の一例を示した図。
【図８】携帯電話機１のセンサ１１ａ〜１１ｄにおける検知の結果と、携帯電話機１の状態の変化とを対比した図。
【図９】実施例１に係る通信端末の操作及び動作のフローチャート。
【図１０】図９の続きのフローチャート
【図１１】実施例１においてテレビ電話の着信を示す表示の一例を表す図。
【図１２】実施例１において着信に対するサブメニュー表示の一例を表す図。
【図１３】実施例１において自画像の表示の一例を表す図。
【図１４】実施例１において拡大された自画像の表示の一例を表す図。
【図１５】実施例１においてテレビ電話通話中の画面表示の一例を表す図。
【図１６】実施例１において自画像以外の画像を含む画面表示の一例を表す図。
【図１７】実施例１において自画像を送らない場合の画面表示の一例を表す図。
【図１８】実施例１において着信に対する応答保留を示す表示の一例を表す図。
【図１９】実施例２に係る通信端末の操作及び動作のフローチャート。
【図２０】図１９の続きのフローチャート。
【図２１】本発明の実施例２において自画像の表示の一例を表す図。
【図２２】実施例２において拡大された自画像の表示の一例を表す図。
【図２３】実施例２において発信中であることを示す表示の一例を表す図。
【図２４】実施例２に係るＴＶ電話の通信接続が失敗した際の表示の一例を示す図。
【符号の説明】
【００７４】
１  携帯電話機
２  上筐体部
３  ヒンジ部
４  下筐体部
５  ディスプレイ
６  キー
７  サイドキー
８  マイク
９  レシーバ（受話口）
１１ａ、１１ｂ、１１ｃ、１１ｄ  センサ
１５  サブディスプレイ
１６  メインカメラ
１７  サブカメラ
３０  アンテナ
３１  送受信部
３２  サブカメラ制御部
３３  制御部
３４  メモリ
３５  表示制御部
３６  操作部
３７  ＲＡＭ
３８  音声鳴動部
３９  メインカメラ制御部
５１  アンテナピクト
５２  電池ピクト
５３  時刻表示
５４  左下ピクト
５５  中下ピクト
５６  右下ピクト
６１  数字キー
６２  「＊」キー
６３  「＃」キー
６４  ソフトキー左
６５  ソフトキー中
６６  ソフトキー右
６７  十字キー
６８  メールキー
６９  ブラウザキー
７０  通話キー
７１  電源キー
７２  クリアキー
【図１】
2006319742.tif 000003
【図２】
2006319742.tif 000004
【図３】
2006319742.tif 000005
【図４】
2006319742.tif 000006
【図５】
2006319742.tif 000007
【図６】
2006319742.tif 000008
【図７】
2006319742.tif 000009
【図８】
2006319742.tif 000010
【図９】
2006319742.tif 000011
【図１０】
2006319742.tif 000012
【図１１】
2006319742.tif 000013
【図１２】
2006319742.tif 000014
【図１３】
2006319742.tif 000015
【図１４】
2006319742.tif 000016
【図１５】
2006319742.tif 000017
【図１６】
2006319742.tif 000018
【図１７】
2006319742.tif 000019
【図１８】
2006319742.tif 000020
【図１９】
2006319742.tif 000021
【図２０】
2006319742.tif 000022
【図２１】
2006319742.tif 000023
【図２２】
2006319742.tif 000024
【図２３】
2006319742.tif 000025
【図２４】
2006319742.tif 000026
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
テレビ電話の送受信手段と、
ズーミングにより画像の倍率を変化させて撮影することができるカメラと、
前記カメラと同一の向きに取り付けられ、少なくとも文字及び画像を表示する表示手段と、
前記カメラのズーミング操作及びテレビ電話の着信を受けたときに自画像確認の有無の設定操作をすることができる操作手段と、
前記操作手段により自画像確認有りの設定がなされているときに、テレビ電話の着信を受けると、前記カメラで撮影した画像を前記表示手段により表示して前記カメラのズーミング操作を可能にした後に、前記カメラで撮影した画像を前記送受信手段により送信することができる制御手段と
を備えたことを特徴とする通信端末。
【請求項２】
テレビ電話の送受信手段と、
ズーミングにより画像の倍率を変化させて撮影することができるカメラと、
前記カメラと同一の向きに取り付けられ、少なくとも文字及び画像を表示する表示手段と、
前記カメラのズーミング操作及びテレビ電話の発信操作をすることができる操作手段と、
テレビ電話の発信前の自画像確認の有無を設定することができ、かつ、自画像確認有りの設定がされた状態において前記操作手段によりテレビ電話の発信操作がされたとき、前記カメラで撮影した画像を前記表示手段により表示して前記カメラのズーミング操作を可能にした後に、前記カメラで撮影した画像を前記送受信手段により送信することができる制御手段とを
備えたことを特徴とする通信端末。
【請求項３】
テレビ電話の送受信手段と、
ズーミングにより画像の倍率を変化させて撮影することができるカメラと、
前記カメラのズーミング設定値を記憶する記憶手段と、
前記カメラと同一の向きに取り付けられ、少なくとも文字及び画像を表示する表示手段と、
前記カメラのズーミング操作及びテレビ電話の着信を受けたときに自画像確認の有無の設定操作をすることができる操作手段と、
前記操作手段により自画像確認有りの設定がなされているときに、テレビ電話の着信を受けると、前記カメラで撮影した画像を前記表示手段により表示して前記カメラのズーミング操作を可能にし、該カメラのズーミングが変更されると、前記記憶手段に変更後のズーミング設定値を記憶する第1の制御手段と、
前記テレビ電話の着信を受け、通話操作がなされた後に、前記カメラを前記記憶手段に記憶されたズーミング設定値で撮影し、該撮影された画像を前記送受信手段により送信することができる第2の制御手段と
を備えたことを特徴とする通信端末。
【請求項４】
テレビ電話の送受信手段と、
ズーミングにより画像の倍率を変化させて撮影することができるカメラと、
前記カメラのズーミング設定値を記憶する記憶手段と、
前記カメラと同一の向きに取り付けられ、少なくとも文字及び画像を表示する表示手段と、
前記カメラのズーミング操作及びテレビ電話の発信操作をすることができる操作手段と、
テレビ電話の発信前の自画像確認の有無を設定することができ、かつ、自画像確認有りの設定がされた状態において前記操作手段によりテレビ電話の発信操作がされたとき、前記カメラで撮影した画像を前記表示手段により表示して前記カメラのズーミング操作を可能にし、該カメラのズーミングが変更されると、前記記憶手段に変更後のズーミング設定値を記憶する第1の制御手段と、
前記テレビ電話による通信が開始された後に、前記カメラを前記記憶手段に記憶されたズーミング設定値で撮影し、該撮影された画像を前記送受信手段により送信することができる第2の制御手段と
備えたことを特徴とする通信端末。
【請求項５】
テレビ電話の送受信手段と、
ズーミングにより画像の倍率を変化させて撮影することができるカメラと、
前記カメラのズーミング設定値を記憶する記憶手段と、
前記カメラと同一の向きに取り付けられ、少なくとも文字及び画像を表示する表示手段と、
前記カメラのズーミング操作及びテレビ電話の着信を受けたときに自画像確認の有無の設定操作をすることができる操作手段と、
前記操作手段により自画像確認有りの設定がなされているときに、テレビ電話の着信を受けると、前記カメラで撮影した画像を前記表示手段により表示して前記カメラのズーミング操作を可能にし、前記操作手段によって通話操作がなされると、該通話操作のときに設定されていたズーミング設定値を前記記憶手段に記憶する第1の制御手段と、
前記テレビ電話の着信を受け、前記通話操作がなされた後に、前記カメラを前記記憶手段に記憶されたズーミング設定値で撮影し、該撮影された画像を前記送受信手段により送信することができる第2の制御手段と
を備えたことを特徴とする通信端末。
【請求項６】
テレビ電話の送受信手段と、
ズーミングにより画像の倍率を変化させて撮影することができるカメラと、
前記カメラのズーミング設定値を記憶する記憶手段と、
前記カメラと同一の向きに取り付けられ、少なくとも文字及び画像を表示する表示手段と、
前記カメラのズーミング操作及びテレビ電話の発信操作をすることができる操作手段と、
テレビ電話の発信前の自画像確認の有無を設定することができ、かつ、自画像確認有りの設定がされた状態において前記操作手段によりテレビ電話の発信操作がされたとき、前記カメラで撮影した画像を前記表示手段により表示して前記カメラのズーミング操作を可能にし、前記操作手段によって発信動作に移行する操作がなされると、該移行する操作のときに設定されていたズーミング設定値を前記記憶手段に記憶する第1の制御手段と、
前記テレビ電話による通信が開始された後に、前記カメラを前記記憶手段に記憶されたズーミング設定値で撮影し、該撮影された画像を前記送受信手段により送信することができる第2の制御手段と
備えたことを特徴とする通信端末。
【手続補正２】
【補正対象書類名】明細書
【補正対象項目名】０００６
【補正方法】変更
【補正の内容】
【０００６】
上記目的を達成するために、本発明の通信端末は、テレビ電話の送受信手段と、ズーミングにより画像の倍率を変化させて撮影することができるカメラと、前記カメラと同一の向きに取り付けられ、少なくとも文字及び画像を表示する表示手段と、前記カメラのズーミング操作及びテレビ電話の着信を受けたときに自画像確認の有無の設定操作をすることができる操作手段と、前記操作手段により自画像確認有りの設定がなされているときに、テレビ電話の着信を受けると、前記カメラで撮影した画像を前記表示手段により表示して前記カメラのズーミング操作を可能にした後に、前記カメラで撮影した画像を前記送受信手段により送信することができる制御手段とを備えたことを特徴とする。